(57)【要約】【課題】製造コストの増加や読み取り原稿の排出性の劣化がなく、デザイン上の制約を受けずに、外光の入射による読み取り品位の劣化を防止できる読み取り装置を提供する。【解決手段】原稿排出口から入射した外光を遮光するために、光学的読み取り手段の読み取り面の延長面よりも上方に上面が位置する遮光部を案内部材に設ける。また、光学的読み取り手段の読み取り面と遮光部との間に傾斜を設ける。さらに、遮光部及び傾斜面に対して、所定の間隔をあけて対向する上部案内面を設ける。これにより、イメージセンサの読み取り面に、原稿排出口から入射した外光や装置内部で反射して光学的読み取り手段に反射光が入光しないようにすることができ、また、スムーズに原稿を紙送りできるので、紙詰まりを防止でき、原稿排出性の劣化もない。【選択図】図１
2004112294.tif 000002
【特許請求の範囲】
【請求項１】
原稿の主走査方向を読み取る光学的読み取り手段と、副走査方向に原稿を搬送する搬送手段と、上記光学的読み取り手段で読み取った原稿を排出口へ案内する案内部材と、を備えた読み取り装置において、
上記案内部材は、光学的読み取り手段の読み取り面の延長面よりも上方に上面が位置する遮光部を備えたことを特徴とする画像読み取り装置。
【請求項２】
前記光学的読み取り手段の読み取り面と前記遮光部との間に傾斜面を備えた請求項１に記載の画像読み取り装置。
【請求項３】
前記遮光部及び前記傾斜面に、所定の間隔をあけて対向する上部案内面を備えた請求項２に記載の画像読み取り装置。
【請求項４】
前記搬送手段の周囲に、所定の間隔をあけて対向する被覆面を備えた請求項１乃至３のいずれかに記載の画像読み取り装置。
【発明の詳細な説明】
【０００１】
【発明の属する技術分野】
本発明は、原稿に光を照射して、原稿の画像を読み取る読み取り装置に関する。
【０００２】
【従来の技術】
ファクシミリには、原稿を搬送しながら原稿に光を照射し、その反射光を検出して原稿の画像を読み取るタイプの画像読み取り装置を備えているものがある。図２は、従来のファクシミリの画像読み取り装置及び排出部を示した断面図である。
【０００３】
図２に示した従来の画像読み取り装置は、特許文献１の従来技術に記載の通り、イメージセンサ１９から原稿排出口２０まで原稿案内部材２１により直線状の案内面２１ａが形成され、原稿排出口の上縁２０ａがこの案内面２１ａより上側に位置していた。
【０００４】
この画像読み取り装置では、太陽光や電灯光などの外光が机上の上面などで反射して原稿排出口より筺体内部に入り込み、イメージセンサの読み取り面に直接入射することにより、読み取り品位が劣化するという課題があった。この課題を解決すべく、筺体に樹脂フィルムなどを取り付けて原稿排出口側を覆うことが試みられている。しかし、このような構成では、部品点数の増加により製造コストが増加するとともに、薄手原稿の排出性が劣化するという課題があった。
【０００５】
そこで、イメージセンサから原稿排出口まで原稿案内部材により形成される案内面、及び原稿排出口の位置を異なる形状にしたものが提案されている（例えば、特許文献１参照。）。
【０００６】
図３は、特許文献１に開示された読取装置の要部拡大図である。特許文献１に開示された読取装置では、図３に示したように、イメージセンサ２２と読取原稿排出口２６との間において、読取原稿を水平姿勢または傾斜姿勢で案内する案内部材２７に段部２４を設けている。つまり、読取装置では、イメージセンサ２２から段部２４に至る平面状の第１の案内面２３と、段部２４から読取原稿排出口２６に至る第２の案内面２５とを形成し、段部２４は、第１の案内面２３側が第２の案内面２５側よりも上方に位置し、読取原稿排出口２６を、その上縁２６ａが第１の案内面２３の延長面２３ａ上またはそれよりも下方に位置するように形成している。このように構成することで、部品点数の増加や、原稿排出性の劣化を防止できる。
【０００７】
【特許文献１】
特開平１０−２００６７３号公報　（第２−４頁、第５，７図）
【０００８】
【発明が解決しようとする課題】
しかしながら、特許文献１に開示された読取装置では、排出口からイメージセンサまではある程度の距離があるため、この間で光が反射・屈折し、外光入射による読み取り品位劣化に対して十分対処できなかった。反射をおさえるべく、この案内部材を黒色にする方法もとられるが、この案内部材が外部から見える場合は黒色にできず、このようなデザイン上の制約がある場合には、反射光の影響を受けるという問題があった。
【０００９】
また、特許文献１の読取装置は、排出口の開口が大きく、イメージセンサや案内部材の上部に広い空間があるため、排出口から入射した光が内部の部材などにより反射して、イメージセンサの読み取り品位が劣化するという問題があった。
【００１０】
そこで、本発明は、上記の問題を解決するために、製造コストの増加や読み取り原稿の排出性の劣化がなく、デザイン上の制約を受けずに、外光の入射による読み取り品位の劣化を防止できる読み取り装置を提供することを目的とする。
【００１１】
【課題を解決するための手段】
この発明は、上記の課題を解決するための手段として、以下の構成を備えている。
【００１２】
（１）原稿の主走査方向を読み取る光学的読み取り手段と、副走査方向に原稿を搬送する搬送手段と、上記光学的読み取り手段で読み取った原稿を排出口へ案内する案内部材と、を備えた読み取り装置において、
上記案内部材は、光学的読み取り手段の読み取り面の延長面よりも上方に上面が位置する遮光部を備えたことを特徴とする。
【００１３】
この構成においては、遮光部によって原稿排出口から入射した外光を遮光して、イメージセンサの読み取り面に直接入光しないようにすることができ、製造コストの増加や原稿の排出性の劣化もなく、外光の入射による光学的読み取り手段の読み取り品位の劣化を十分に防止できる。
【００１４】
（２）前記光学的読み取り手段の読み取り面と前記遮光部との間に傾斜面を備えている。
【００１５】
この構成においては、読み取り面と前記遮光部との間に傾斜面によって、スムーズに原稿を紙送りできるので、紙詰まりを防止でき、原稿排出性の劣化もない。
【００１６】
（３）前記遮光部及び前記傾斜面に、所定の間隔をあけて対向する上部案内面を備えている。
【００１７】
この構成においては、上部案内面によって原稿の搬送方向を規制でき、また、搬送の間隔を制限できるので、原稿の排出口から外光が入射しても、装置内部で反射して光学的読み取り手段に反射光が入光するのを防止できる。
【００１８】
（４）前記搬送手段の周囲に、所定の間隔をあけて対向する被覆面を備えている。
【００１９】
この構成においては、被覆面によって搬送手段の周囲の空間を規制できるので、原稿の排出口から外光が入射しても、搬送手段の周囲で反射して光学的読み取り手段に反射光が入光するのを防止できる。
【００２０】
【発明の実施の形態】
以下、本発明の一実施形態について、図面を参照しながら説明する。図１は、本発明の実施形態に係る画像読み取り装置の構成を示した断面図である。図１には、画像読み取り装置をファクシミリに適用した場合を示している。
【００２１】
ファクシミリ１０では、原稿の搬送路１２が傾斜して形成されており、図１には左上から右下方向に所定の角度で傾斜した搬送路１２を示している。搬送路１２は、下側案内部材４及び上側案内部材５で構成されている。搬送路１２の途中には、イメージセンサ１及び背面ローラ３で構成された画像読み取り部１１が設置され、搬送路１２の終端が原稿排出口７となり、原稿排出口７の下方にトレイ８が設置されている。
【００２２】
ここで、搬送路１２の画像読み取り部１１よりも原稿の搬送方向上流側を搬送路１２ａ、搬送路１２の画像読み取り部１１よりも原稿の搬送方向下流側を搬送路１２ｂと称する。また、ファクシミリ１０では、原稿として例えばＢ５、Ｂ４、Ａ４、Ａ３などのサイズの用紙を使用するものとする。
【００２３】
搬送路１２ａは、下方案内面４ｃと上方案内面５ｄとが、所定の間隔（紙詰まりせずに原稿が通過できる間隔）で対向して構成されている。
【００２４】
イメージセンサ１は、その読み取り面（上面）１ａが搬送路１２ａの傾斜角とほぼ同等の傾斜角となるように設置されている。また、イメージセンサ１は、原稿の主走査方向の画像を読み取る。
【００２５】
背面ローラ３は、イメージセンサ１の読み取り面１ａに当接している。また、背面ローラ３は、イメージセンサ１が原稿２の画像を読み取る際には、原稿２を読み取り面１ａとの間に挟み込んで、副走査方向に１ラインずつ原稿２を送る。この時、背面ローラ３は、図外の動力源によって、図における反時計回りに回転される。背面ローラ３の周囲には、背面ローラ３の表面と所定の間隔で、カバー面５ｃが形成されている。なお、背面ローラ３の表面とカバー面５ｃとの間隔は、搬送路１２ａと同様にすると良い。
【００２６】
搬送路１２ｂは、下方案内面４ａ及び下方傾斜面４ｂと、上方案内面５ａ及び上方傾斜面５ｂと、が搬送路１２ａと同様に、所定の間隔（紙詰まりせずに原稿が通過できる間隔）で対向している。搬送路１２ｂは、全体的には読み取り面１ａとほぼ同様の傾斜角で傾斜しているが、部分的に異なる角度で傾斜している。すなわち、イメージセンサ１の直後に、イメージセンサ１の読み取り面の延長面６（１点鎖線で図示）に対して、斜め上方に傾斜した下方傾斜面４ｂが形成されている。また、下方傾斜面４ｂの原稿の搬送方向下流側には、下方案内面４ａが形成されている。この下方案内面４ａ及び下方傾斜面４ｂの後端部は、延長面６よりも上方に位置するように形成されている。
【００２７】
なお、上方傾斜面５ｂは、下方傾斜面４ｂと同様の傾斜角で形成しても良いし、図１に示したように、下方傾斜面４ｂよりも傾斜角を緩やかに形成しても良い。
【００２８】
ファクシミリ１０では、以下のようにして原稿２の画像が読み取られる。原稿２（２点鎖線で図示）は、ファクシミリの図外の原稿挿入口に挿入されると、搬送路１２ａを通ってイメージセンサ１及び背面ローラ３の読み取り面１ａの間に搬送される。この時、原稿２は、その先端が反っていたとしても、下方案内面４ｃ及び上方案内面５ｄによって搬送方向が規制されるので、イメージセンサ１の読み取り面１ａ及び背面ローラ３の間に確実に搬送される。
【００２９】
続いて、原稿２は、イメージセンサ１の読み取り面１ａと背面ローラ３との間に挟み込まれ、１ラインずつ背面ローラ３で送られながら、イメージセンサ１により画像を読み取られる。この時、搬送路１２ｂの下方案内面４ａは、前記のようにイメージセンサ１の読み取り面１ａの延長面６よりも上方に位置するように形成されているので、原稿排出口７から入射した外光を、イメージセンサ１の読み取り面１ａに直接入射しないように遮光する役目を果たしている。
【００３０】
原稿２は画像を読み取られると、搬送路１２ｂを通過して原稿排出口７からトレイ８上に排出される。この時、下方傾斜面４ｂは斜め上方に傾斜しているので、紙詰まりが発生することなく、原稿２を下方案内面４ａから原稿排出口７へ搬送できる。また、原稿２は、先端が反っていたとしても、上方案内面５ａ及び上方傾斜面５ｂによって搬送方向が規制されるので、筐体１３内で滞留することなく、確実に原稿排出口７から排出される。
【００３１】
また、搬送路１２（搬送路１２ａ及び搬送路１２ｂ）の間隔、及び背面ローラ３の表面とカバー面５ｃとの間隔を、所定の間隔（紙詰まりせずに原稿が通過できる間隔）にしたので、外光が原稿排出口７から入射しても、ファクシミリ１０の内部で入射光が反射して、イメージセンサ１の読み取り面１ａに反射光が入光するのを防止できる。
【００３２】
【発明の効果】
本発明によれば、以下の効果が得られる。
【００３３】
（１）遮光部によって原稿排出口から入射した外光を遮光して、イメージセンサの読み取り面に直接入光しないようにすることができ、製造コストの増加や原稿の排出性の劣化もなく、外光の入射による光学的読み取り手段の読み取り品位の劣化を十分に防止できる。
【００３４】
（２）読み取り面と前記遮光部との間に傾斜面によって、スムーズに原稿を紙送りできるので、紙詰まりを防止できる。
【００３５】
（３）上部案内面によって原稿の搬送方向を規制でき、また、搬送の間隔を制限できるので、原稿の排出口から外光が入射しても、装置内部で反射して光学的読み取り手段に反射光が入光するのを防止できる。
【００３６】
（４）被覆面によって搬送手段の周囲の空間を規制できるので、原稿の排出口から外光が入射しても、搬送手段の周囲で反射して光学的読み取り手段に反射光が入光するのを防止できる。
【図面の簡単な説明】
【図１】本発明の実施形態に係る画像読み取り装置の構成を示した断面図である。
【図２】従来のファクシミリの画像読み取り装置及び排出部を示した断面図である。
【図３】特許文献１に開示された読取装置の要部拡大図である。
【符号の説明】
１，１９，２２−イメージセンサ
２−原稿
３−背面ローラ
４−下方案内部材
５−上方案内部材
６−イメージセンサ１の読み取り面１ａの延長面
７−原稿排出口
８−トレイ
１０−ファクシミリ
１１−画像読み取り部
１２−搬送路
１３−筐体
【図１】
2004112294.tif 000003
【図２】
2004112294.tif 000004
【図３】
2004112294.tif 000005